【事件の表示】
　特許第５８９２２０２号発明「照明器具」の特許異議申立事件について、次のとおり決定する。
【結　論】
　特許第５８９２２０２号の請求項１に係る特許を維持する。
【理　由】
第１　手続の経緯 
　特許第５８９２２０２号の請求項１に係る特許についての出願は、平成２３年７月２９日（優先権主張　平成２３年１月１１日）に出願した特願２０１１−１６７１４２号の一部を平成２６年７月４日に新たな特許出願としたものであって、平成２８年３月４日に特許権の設定登録がされ、その後、特許異議申立人海老原健雄（以下「特許異議申立人」という。）より特許異議の申立てがされたものである。 
 　 　 
第２　本件発明 
　特許第５８９２２０２号の請求項１に係る発明（以下「本件発明」という。）は、その特許請求の範囲の請求項１に記載された事項により特定されるとおりのものであるところ、本件発明は、以下のとおりのものである。 
「中央部に開口を有し、器具取付面に配設された配線器具に取り付けられる円形状の器具本体と；
　前記配線器具を介して交流電源を受けて直流出力を生成する前記器具本体の前記開口の外側に配設された点灯装置と；
　前記点灯装置を覆うとともに、前記器具本体に取り付けられ、器具本体から前面側に向かう側壁を有する略短円筒状の点灯装置カバーと；
　前面側に実装面が設けられ、前記開口を囲むように、かつ、少なくとも最外周が前記点灯装置よりも外側となるように前記本体に配設された複数の基板と；
　前記基板上に実装された複数の発光素子と；
　複数の発光素子を含めた器具本体の前面側を覆うように器具本体に取付けられる拡散カバー部材と；
　前記複数の基板のうち特定の基板の前面の内周側に設けられ前記点灯装置から出力線を介して直流出力を発光素子に供給する電源供給接続部と；
　特定の基板から隣接する他の基板に直流出力が供給されるように互いに隣接する基板間を電気的に接続する配線接続部と；
　前記電源供給接続部を含めて前記基板の全面を覆うとともに、半径方向に向かって形成された出力線通過開口を有して、前記基板と拡散カバー部材との間に設けられる拡散部材と；を具備し、
　前記点灯装置から導出される出力線は、出力線通過開口を介して半径方向に延出して電源供給接続部に接続されることを特徴とする照明器具。」 
 　 　 
第３　申立理由の概要 
　特許異議申立人は、証拠として、次の甲第１〜１２号証を提出し、以下の申立理由１〜４により、特許を取り消すべきものである旨主張している。
　甲第１号証：登録実用新案第３１５４７６１号公報
　甲第２号証：特開２００８−１２４００８号公報
　甲第３号証：特開２００８−３００２０３号公報
　甲第４号証：特開平８−３２９７０９号公報
　甲第５号証：特開平１１−３９９３１号公報
　甲第６号証：特開２００１−３３８５０５号公報
　甲第７号証：特開２０１０−３６８３号公報
　甲第８号証：特開２０１０−１５７９８号公報
　甲第９号証：登録実用新案第３１６０８０８号公報
　甲第１０号証：登録実用新案第３０９７５８０号公報
　甲第１１号証：特開２０１０−８０３７２号公報
　甲第１２号証：特開昭６０−１３０００１号公報
　
１　申立理由１（特許法第２９条第２項）
　本件発明は、甲第１号証に記載された発明及び甲第２〜１２号証に記載された事項に基いて、当業者が容易に発明をすることができたものであり、特許法第２９条第２項の規定に違反してなされたものであるから、同法第１１３条第２号の規定により取り消されるべきものである。
　   　
２　申立理由２（特許法第３６条第４項第１号）
　本件特許明細書の発明の詳細な説明の記載には不備があり、本件発明は、特許法第３６条第４項第１号に規定する要件を満たしていない特許出願にされたものであるから、同法第１１３条第４号の規定により取り消されるべきものである。
　    　
３　申立理由３（特許法第３６条第６項第１号）
　本件発明は、発明の詳細な説明に記載したものでなく、特許法第３６条第６項第１号に規定する要件を満たしていない特許出願にされたものであるから、同法第１１３条第４号の規定により取り消されるべきものである。
　
４　申立理由４（特許法第３６条第６項第２号）
　本件発明は、明確でなく、特許法第３６条第６項第２号に規定する要件を満たしていない特許出願にされたものであるから、同法第１１３条第４号の規定により取り消されるべきものである。
　　
第４　各甲号証の記載事項等 
１　甲第１号証の記載事項及び甲第１号証に記載された発明
ア　甲第１号証の記載事項
　甲第１号証には、以下の事項が記載されている（下線は当審で付与した。以下同様。）。 
（１ａ）「【０００１】 
　
本考案は、ＬＥＤ灯具に関する
（１ｂ）「【００１６】 
　図１乃至図３を参照しながら、本考案に係るＬＥＤ灯具について詳細に説明する。 
　本考案に係る
ＬＥＤ灯具は、灯座１０と、灯笠２０と、ＬＥＤ発光モジュール３０と、電源制御回路板４０と、検出センサ５０と、飾りリング６０とから構成されたものである。
【００１７】 
　
灯座１０は、
ほぼディスク状で、底板１１
があり、また、底板１１の中心に、固定枠１３が設けられ、上記固定枠１３の上方に、リング状シート１３１が設置され、リング状シート１３１の中心に、バイアホール１３２が形成され、また、固定枠１３のリング状シート１３１の両側から、それぞれ、下へスタンド１３３が設けられて、固定枠１３が、そのスタンド１３３により、底板１１に固定され
【００１８】 
　
灯笠２０は、透過材質からなり、上記灯座１０に対応して、ほぼ円弧面のディスク状であり、上記灯座１０に設置され
【００１９】 
　
ＬＥＤ発光モジュール３０は、複数設けられてあり、灯座１０の底板１１のリング状突縁１１１に設置され、それぞれに、基板３１と外蓋３２
が備えられる。
基板３１が、リング状突縁１１１の上に設置され
それぞれの基板３１に、複数のＬＥＤ３１１が配列され、基板３１の一側に、ともに、差込口金３１２が設けられてある。
【００２０】
　また、
上記ＬＥＤ発光モジュール３０の基板３１の上方に、上記外蓋３２が嵌設され
上記外蓋３２が、所定の色を有する透過材質からなり
・・・
【００２２】 
　
電源制御回路板４０は、灯座１０の底板１１の中心に固定されてあり、上記ＬＥＤ発光モジュール３０に対応して、ＬＥＤ発光モジュール３０にある差込口金３１２が差し込まれる複数の差込ソケット４１が設置され
【００２３】 
　
検出センサ５０は、
その上段が、上記固定枠１３のバイアホール１３２を通してリング状シート１３１に固定され
 ・・・ 
【００２５】 
　
図２で示すように、本考案のより良い実施例であるＬＥＤ灯具は、天井式の円盤灯であり、上記灯座１０の底板１１を、一般の部屋の天井に組立てた場合、上記灯座１０が、底板１１のリブ１１２により、天井との間に、隙間が形成されて、放熱の効果が得られる。
（１ｃ）甲第１号証には、以下の図が示されている。  
　
イ　甲第１号証に記載された発明  
（ア）甲第１号証には、ＬＥＤ灯具に関する技術について開示されているところ（摘示（１ａ））、その具体的な構成について、摘示（１ｂ）によれば、
・ＬＥＤ灯具は、灯座１０と、灯笠２０と、ＬＥＤ発光モジュール３０と、電源制御回路板４０と、検出センサ５０と、飾りリング６０とから構成されること（段落【００１６】）、 
・灯座１０は、ほぼディスク状で、灯座１０の底板１１は天井に設置可能であること（段落【００１７】、段落【００２５】）、 
・電源制御回路板４０は灯座１０の底板１１の中心に固定され、電源制御回路板４０には複数の差込ソケット４１が設けられていること（段落【００２２】） 
・灯座１０の底板１１の中心に固定枠１３が設けられること、及び、固定枠１３は、その上方にリング状シート１３１が設置され、リング状シート１３１の中心にバイアホール１３２が形成され、リング状シート１３１の両側からスタンド１３３が設けられて構成されていること（段落【００１７】）
・検出センサ５０は、その上段が固定枠１３のバイアホール１３２を通してリング状シート１３１に固定されること（段落【００２３】）、 
・ＬＥＤ発光モジュール３０は灯座１０の底板１１に複数設置され、各ＬＥＤ発光モジュール３０はそれぞれ基板３１を有すること、各基板３１には複数のＬＥＤ３１１が配列されるとともに、各基板３１の一側に差込口金３１２が設けられていること、及び各基板３１の差込口金３１２は電源制御回路板４０の差込ソケット４１に差し込まれること（段落【００１９】及び段落【００２２】）、 
・ＬＥＤ発光モジュール３０の基板３１の上方に外蓋３２が嵌設され、該外蓋３２は所定の色を有する透過材質からなること（段落【００２０】）、
・灯笠２０は透過材質からなり、灯座１０に対応してほぼ円弧面のディスク状であり、灯座１０に設置されること（段落【００１８】）、が明らかである。 
 　 
　してみると、甲第１号証には、次の発明（以下「甲１発明」という。）が記載されているものといえる。  
「灯座１０と、灯笠２０と、ＬＥＤ発光モジュール３０と、電源制御回路板４０と、検出センサ５０と、飾りリング６０とから構成されるＬＥＤ灯具において、 
　前記灯座１０は、ほぼディスク状で、前記灯座１０の底板１１は天井に設置可能であり、 
　前記電源制御回路板４０は前記灯座１０の底板１１の中心に固定され、前記電源制御回路板４０には複数の差込ソケット４１が設けられ、 
　前記灯座１０の底板１１の中心に固定枠１３が設けられ、前記固定枠１３は、その上方にリング状シート１３１が設置され、前記リング状シート１３１の中心にバイアホール１３２が形成され、前記リング状シート１３１の両側からスタンド１３３が設けられて構成され、 
　前記検出センサ５０は、その上段が前記固定枠１３のバイアホール１３２を通して前記リング状シート１３１に固定され、 
　前記ＬＥＤ発光モジュール３０は前記灯座１０の底板１１に複数設置され、各ＬＥＤ発光モジュール３０はそれぞれ基板３１を有し、各基板３１には複数のＬＥＤ３１１が配列されるとともに、各基板３１の一側に差込口金３１２が設けられ、前記各基板３１の差込口金３１２は前記電源制御回路板４０の差込ソケット４１に差し込まれ、 
　前記ＬＥＤ発光モジュール３０の基板３１の上方に外蓋３２が嵌設され、該外蓋３２は所定の色を有する透過材質からなり、
　前記灯笠２０は透過材質からなり、前記灯座１０に対応してほぼ円弧面のディスク状であり、前記灯座１０に設置される、ＬＥＤ灯具。」  
２　甲第２号証の記載事項
　甲第２号証には、以下の事項が記載されている。  
（２ａ）「【０００１】
　本発明は、ＬＥＤユニット、ＬＥＤユニットの製造方法、及び
ＬＥＤユニットを用いた天井用照明器具に関し
（２ｂ）「【０００７】
　まず、図１と図２に示す天井用照明器具について説明する。
この照明器具は、天井Ｃ側に設けられ本体を構成する金属製の第一本体１と、
金属製の第二本体３と、
第二本体３の下面に接してビス２などの取付手段で取り付けられたＬＥＤユニット４と、第二本体３の上方空間に収められ例えば第一本体１の下面に設けられた、ＬＥＤユニット４のための点灯制御回路部５と、
を備えている。
（２ｃ）「【０００８】
　第一本体１、第二本体３の材質としては例えば、鉄、アルミなどを用いる。第一本体１、第二本体３の少なくとも下面側は例えば白色の塗装膜・樹脂コーティング膜・セラミック膜などの薄膜が形成されて光反射性を有し、光反射率を例えば９０％以上としている。ＬＥＤユニット４の発熱は第一本体１及び第二本体３に放熱されてＬＥＤユニット４の温度上昇を抑えている。第一本体１の下面周部には図示されないグローブ支持具などを設けており、これに対してグローブ６が着脱可能に支持される。第二本体３の略中央には孔７が形成される。
第一本体１は
その略中央には孔８が形成される
（２ｄ）「【０００９】
　
第一本体１及び第二本体３を含む本体は、その略中央部に天井Ｃへの取り付け機構が設けられ
  　
３　甲第３号証の記載事項
　甲第３号証には、以下の事項が記載されている。  
（３ａ）「【０００１】
　本発明は、発光ダイオード等の半導体発光素子を光源とした
シーリングライト等の照明器具に関する。
（３ｂ）「【００２９】
　
器具本体１０は、
シャーシーとして構成され、シャーシーの略中央部には天井等の器具取付面Ａに設置された引掛シーリング１１に着脱可能に設置されるアダプタ１２を設ける。さらに、アダプタ１２の周囲の空間部に光源体２０を点灯するための点灯装置１３を取り付け
（３ｃ）「【００３０】
　光源体２０は、半導体発光素子、本実施例では発光ダイオード２１（以下「ＬＥＤ」と称す）で構成し、複数個のＬＥＤ２１を発光素子基板２２に配置した直線状の長さが約１００ｍｍの線状の発光モジュール２３として構成し、必要な個数、本実施例では５本の発光モジュールが選択されて１本の長尺な光源体２０を構成する。この長尺な光源体２０を２本用意して、器具本体１０の対向する辺の外縁部１４、１５に設けられた設置部１６、１７に１本ずつ、
発光部である各ＬＥＤ２１がそれぞれ対向するようにして器具本体の外縁部に配設される。
（３ｄ）「【００３２】
　
反射体４０は、鉄板等の金属に白色塗装を施した平板状をなし
反射体は、器具本体１０を構成するシャーシーの略中央部に、ネジ若しくはスポット溶接等の手段で固定される。
　
４　甲第４号証の記載事項
　甲第４号証には、以下の事項が記載されている。  
（４ａ）「【０００１】
【産業上の利用分野】本発明は、
環状蛍光ランプを用いた照明器具に関する。
（４ｂ）「【００２７】11は器具本体で、この器具本体11は、外観が円形でかつ薄型に形成され、天板12を備えており、この天板12の上面が後述する天井面27への取付面12a となる。
器具本体11の中央には円形の開口部13が上下方向に開口形成され
（４ｃ）「【００３０】
器具本体11の収納部15の環状の空間14には、インバータ回路を有する放電灯点灯装置（インバータ点灯装置）25が配設されている。
（４ｄ）「【００３３】また、
器具本体11の凹部16の位置には、制光手段としての環状の反射板32が取り付けられている。この反射板32の反射面33は
この反射面33に各環状蛍光ランプ１の上面側の一部が入り込む凹面部34が環状に形成されている。
【００３４】各凹面部34の各ソケット18に対向する位置には、ソケット18に挿入される環状蛍光ランプ１の口金ピン４が挿通する挿通孔35が形成されているとともに、環状蛍光ランプ１の口金３の外周に嵌合して保持するホルダ36が取り付けられている。各凹面部34のホルダ36とは反対側に環状蛍光ランプ１のガラスバルブ２の外周に嵌合して保持するランプホルダ21が取り付けられている。」
　
５　甲第５号証の記載事項
　甲第５号証には、以下の事項が記載されている。  
（５ａ）「【０００１】
【発明の属する技術分野】本発明は、
電線処理を合理的に考慮した照明器具に関する。
（５ｂ）「【０００６】図示の実施形態による
天井直付型照明器具は、中央に天井Ｃへの取付部１が設けられその周囲において
インバータ回路基板２、直流電源回路基板３、
などを配置した本体６と、この本体６の下面を覆うように設けられ中央に前記取付部１に対応する窓孔７が形成された反射板８と
を備えている。
（５ｃ）「【０００８】反射板８はその周縁がビスなどで本体６の下面に取付けられ、
反射板８によりインバータ回路基板２、直流電源回路基板３
などが覆われ
環状の蛍光ランプ２０はソケット５に接続されるとともに、反射板８に取付けられた支持片２１に支持される。
　　 
第５　当審の判断
１　申立理由１について 
（１）対比  
　本件発明と甲１発明とを対比する。  
ア　甲１発明の「灯座１０」は、本件発明の「器具本体」に相当する。
　また、甲１発明の「灯座１０」は、「ほぼディスク状」をなし、それは図２（摘示（１ｃ））にも示されるとおり円形状をなすことが明らかであるから、本件発明の「中央部に開口を有し、器具取付面に配設された配線器具に取り付けられる円形状の器具本体」とは、「円形状の器具本体」の限度で共通するものといえる。
イ　甲１発明の「電源制御回路板４０」は、「前記灯座１０の底板１１の中心に固定され」るものであり、「ＬＥＤ３１１」を点灯させるための点灯装置として機能することは技術的に明らかであるから、本件発明の「前記配線器具を介して交流電源を受けて直流出力を生成する前記器具本体の前記開口の外側に配設された点灯装置」とは、「前記器具本体に配設された点灯装置」の限度で共通するものといえる。 
ウ　甲１発明の「各基板３１」は、本件発明の「複数の基板」に相当する。
　また、甲１発明の「各基板３１」には「複数のＬＥＤ３１１が配列され」、基板３１を有する「ＬＥＤ発光モジュール３０」は「前記灯座１０の底板１１に複数設置され」るものであるから、各基板３１は、その前面側がＬＥＤ３１１の実装面をなし、その裏面側が灯座１０に配設されることも明らかである。 
　さらに、甲１発明は、「各基板３１の一側に差込口金３１２が設けられ、前記各基板３１の差込口金３１２は前記電源制御回路板４０の差込ソケット４１に差し込まれ」て構成されるものであるところ、そのような各基板３１と電源制御回路板４０との配設態様に照らして、各基板３１の少なくとも最外周が電源制御回路板４０よりも外側となるように灯座１０に配設されていることも明らかである（図２（摘示（１ｃ））にも、そのような配設態様が示されている。）。
　したがって、甲１発明の「各基板３１」と、本件発明の「前面側に実装面が設けられ、前記開口を囲むように、かつ、少なくとも最外周が前記点灯装置よりも外側となるように前記本体に配設された複数の基板」とは、「前面側に実装面が設けられ、少なくとも最外周が前記点灯装置よりも外側となるように前記本体に配設された複数の基板」の限度で共通するものといえる。
エ　甲１発明の「複数のＬＥＤ３１１」は、「基板３１」に「配列される」ものであるから、本件発明の「前記基板上に実装された複数の発光素子」に相当する。 
オ　甲１発明の「灯笠２０」は、「透過材質からなり、前記灯座１０に対応してほぼ円弧面のディスク状であり、前記灯座１０に設置される」ものであり、図１及び図３（摘示（１ｃ））にも示されているように、複数のＬＥＤ３１１を含めた灯座１０の前面側を覆うように灯座１０に取付けられているカバー部材をなすことが明らかであるから、本件発明の「複数の発光素子を含めた器具本体の前面側を覆うように器具本体に取付けられる拡散カバー部材」とは、「複数の発光素子を含めた器具本体の前面側を覆うように器具本体に取付けられるカバー部材」の限度で共通するものといえる。 
カ　甲１発明の「外蓋３２」は、「前記ＬＥＤ発光モジュール３０の基板３１の上方に」「嵌設され」「該外蓋３２は所定の色を有する透過材質からな」るものであるから、基板３１の全面を覆う部材として機能することが明らかである。
　したがって、甲１発明の上記「外蓋３２」と、本件発明の「前記電源供給接続部を含めて前記基板の全面を覆うとともに、半径方向に向かって形成された出力線通過開口を有して、前記基板と拡散カバー部材との間に設けられる拡散部材」とは、「前記基板の全面を覆う部材」の限度で共通するものといえる。
キ　甲１発明の「ＬＥＤ灯具」は、本件発明の「照明器具」に相当する。 
 　　 
　以上によれば、本件発明と甲１発明とは、  
「円形状の器具本体と；
　前記器具本体に配設された点灯装置と；
　前面側に実装面が設けられ、少なくとも最外周が前記点灯装置よりも外側となるように前記本体に配設された複数の基板と；
　前記基板上に実装された複数の発光素子と；
　複数の発光素子を含めた器具本体の前面側を覆うように器具本体に取付けられるカバー部材と；
　前記基板の全面を覆う部材と；を具備した、照明器具。」の点で一致し、以下の点で相違する。  
 　　　  
 ＜相違点１＞ 
「器具本体」について、本件発明は、器具本体が「中央部に開口を有し、器具取付面に配設された配線器具に取り付けられる」ものであるのに対し、甲１発明は、灯座１０が「ほぼディスク状」をなし、「前記灯座１０の底板１１は天井に設置可能であ」る点。 
 　 
 ＜相違点２＞ 
「点灯装置」について、本件発明は、点灯装置が「前記配線器具を介して交流電源を受けて直流出力を生成する前記器具本体の前記開口の外側に配設され」るものであるのに対し、甲１発明は、電源制御回路板４０が「前記灯座１０の底板１１の中心に固定され」るものである点。 
  
 ＜相違点３＞ 
　本件発明は、「前記点灯装置を覆うとともに、前記器具本体に取り付けられ、器具本体から前面側に向かう側壁を有する略短円筒状の点灯装置カバー」を具備するものであるのに対し、甲１発明は、そのような点灯装置カバーを具備するものではなく、「前記灯座１０の底板１１の中心に固定枠１３が設けられ」ている点。
　
＜相違点４＞ 
「基板」の設置態様について、本件発明は、複数の基板が「前記開口を囲むように」配設されているのに対し、甲１発明は、そのように構成されていない点。 
 　
＜相違点５＞
「カバー部材」について、本件発明は「拡散カバー部材」であるのに対し、甲１発明は、「透過材質からな」る「灯笠２０」である点。
　 
 ＜相違点６＞ 
　本件発明は、「前記複数の基板のうち特定の基板の前面の内周側に設けられ前記点灯装置から出力線を介して直流出力を発光素子に供給する電源供給接続部と；特定の基板から隣接する他の基板に直流出力が供給されるように互いに隣接する基板間を電気的に接続する配線接続部と」を備え、「前記点灯装置から導出される出力線は、出力線通過開口を介して半径方向に延出して電源供給接続部に接続される」ものであるのに対し、甲１発明は、「前記電源制御回路板４０には複数の差込ソケット４１が設けられ」、「各基板３１の一側に差込口金３１２が設けられ、前記各基板３１の差込口金３１２は前記電源制御回路板４０の差込ソケット４１に差し込まれ」ている点。 
  　　 
 ＜相違点７＞ 
「基板の全面を覆う部材」について、本件発明は、「前記電源供給接続部を含めて前記基板の全面を覆うとともに、半径方向に向かって形成された出力線通過開口を有して、前記基板と拡散カバー部材との間に設けられる拡散部材」であるのに対し、甲１発明は、「前記ＬＥＤ発光モジュール３０の基板３１の上方に」「嵌設され」る「外蓋３２」であって、「該外蓋３２は所定の色を有する透過材質からな」る点。
　
（２）判断  
ア　本件発明は、「器具本体」が「中央部に開口を有し」て構成されることを前提として（相違点１）、「点灯装置」が「前記開口の外側に配設され」（相違点２）、また、「複数の基板」が「前記開口を囲むように」配設されるものであり（相違点４）、さらに、上記「点灯装置」を「覆う」ように「略短円筒状の点灯装置カバー」が配設されるものであるから（相違点３）、上記相違点１〜４に係る本件発明の構成は、器具本体に開口を設けることに起因した、それぞれ相互に関連した技術事項を特定したものということができる。
イ　ここで、異議申立人は、上記相違点１〜４に関し、上記相違点１及び２に係る本件発明の構成は、甲第２〜４号証に記載された周知の技術事項を適用することで容易想到である旨、上記相違点３に係る本件発明の構成は、甲第２〜５号証に記載された周知の技術事項を適用することで容易想到である旨、及び、上記相違点４に係る本件発明の構成は設計的事項にすぎない旨主張するので（特許異議申立書２９頁９行〜３０頁２０行）、まずは、上記アのとおりそれぞれ相互に関連する相違点１〜４に係る本件発明の構成が、甲１発明及び甲第２〜５号証に開示された技術に基づいて容易に想到し得るものであるか否かについて検討する。
ウ　甲第２〜５号証には、天井に設置される照明器具に関する技術について開示されるところ、具体的には、器具本体、点灯装置、点灯装置カバー、及び基板の配設構造に関連し、
　甲第２号証には、第一本体１及び第二本体３を含む本体の略中央部に天井Ｃへの取り付け機構が設けられること（摘示（２ｄ））、第一本体１は、その略中央に孔８が形成されていること（摘示（２ｃ））、及び、第一本体１の下面に点灯制御回路部５が設けられるとともに、該点灯制御回路部５は第二本体３の上方空間に収められ、また、第二本体３の下面に接してＬＥＤユニット４が設けられること（摘示（２ｂ））が記載され、
　甲第３号証には、シーリングライト等の照明器具として（摘示（３ａ））、器具本体１０を構成するシャーシーの略中央部に、器具取付面Ａに設置された引掛シーリング１１に着脱可能に設置されるアダプタ１２を設け、該アダプタ１２の周囲の空間部に点灯装置１３を設けること（摘示（３ｂ））、前記シャーシーの略中央部に反射体４０を設けること（摘示（３ｄ））、及び、各ＬＥＤ２１がそれぞれ対向するようにして器具本体の外縁部に配設されること（摘示（３ｃ））が記載され、
　甲第４号証には、環状蛍光ランプを用いた照明器具として（摘示（４ａ））、器具本体１１の中央に円形の開口部１３を形成すること（摘示（４ｂ））、器具本体１１の収納部１５の環状の空間１４に、放電灯点灯装置２５を設けること（摘示（４ｃ））、及び、器具本体１１の凹部１６の位置に環状の反射板３２が設けられるとともに、該反射板３３に形成された凹面部３４に環状蛍光ランプ１が配設されること（摘示（４ｄ））が記載され、
　甲第５号証には、電線処理を合理的に考慮した照明器具として（摘示（５ａ））、本体６の中央に天井Ｃへの取付部１を設け、該取付部１の周囲に、インバータ回路基板２及び直流電源回路基板３を設けるとともに、本体６の下面を覆うように反射板８を設けること（摘示（５ｂ））、及び、反射板８によりインバータ回路基板２及び直流電源回路基板３が覆われるとともに、反射板８に取付けられた支持片２１に蛍光ランプ２０が支持されること（摘示（５ｃ））が記載されている。
エ　ここで、本件特許の願書に添付した明細書（以下「本件特許明細書」という。）には、「
本体１は、
取付部６を配設するための円形状の開口１１が形成されている。
取付部６は
アダプタガイドであり
なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
　そして、甲第２〜４号証には、上記ウのとおり、天井に設置される照明器具に関し、器具本体の中央部に、配線器具への取付けを目的とした開口を設けることが記載されているところ、甲１発明の「灯座１０」は、その底板１１の中心に「電源制御回路板４０」が固定されるものであるから、直接的には、上記甲第２〜４号証に記載されるような配線器具への取付けを目的とした開口を設けることはできない。
オ　そうすると、甲１発明の灯座１０において、その中央部に開口を設けるためには、灯座１０の底板１１の中心に固定された電源制御回路板４０を再配置する必要があるが、電源制御回路板４０には、複数の差込ソケット４１が設けられ、差込ソケット４１は、各基板３１の一側に設けられた差込口金３１２に差し込まれていることから、単に電源制御回路板４０のみを再配置し得る構成とはいえないし、さらに、甲１発明は、固定枠１３及び検出センサ５０をも具備して構成されるものであるところ、その配設態様は「前記灯座１０の底板１１の中心に固定枠１３が設けられ、前記固定枠１３は、その上方にリング状シート１３１が設置され、前記リング状シート１３１の中心にバイアホール１３２が形成され、前記リング状シート１３１の両側からスタンド１３３が設けられて構成され、前記検出センサ５０は、その上段が前記固定枠１３のバイアホール１３２を通して前記リング状シート１３１に固定され」るというものであり、灯座１０の底板１１の中心には、固定枠１３及び検出センサ５０も配設されていることからして、もはや甲１発明の灯座１０に、配線器具への取付けを目的とした開口を設けることには阻害要因があるというべきである。
カ　そして、上記甲第２〜４号証は、そのような固定枠１３や検出センサ５０をも備えた照明装置において、器具本体の中央部に開口を設け、それに伴う各構成部材の配設態様として、点灯装置を前記開口の外側に配設すること、複数の基板を前記開口を囲むように配設すること、さらに、かかる配設下の点灯装置を略短円筒状の点灯装置カバーで覆う技術を開示するものではない。　
　また、上記甲第５号証にも、甲第６〜１２号証にもそのような技術は開示されていない。
キ　したがって、甲１発明に甲第２〜５号証に開示された技術事項を適用したとしても、さらには甲第６〜１２号証に記載された技術事項を参考としても、上記相違点１〜４に係る本件発明の構成に至るものではなく、当業者が容易になし得たものとはいえない。
　
（３）小活 
　以上のとおり、本件発明は甲１発明と相違点１〜７において相違するものであるところ、相違点１〜４は容易想到とはいえないものであるから、その余の相違点５〜７を検討するまでもなく、本件発明は当業者が容易に発明をすることができたものとはいえない。 
  　
２　申立理由２について
　本件発明は、本件特許明細書の段落【０００７】に記載されるとおり、「配線接続関係を簡素化できる照明器具を提供すること」を技術課題とするものである。
　そして、かかる課題を解決するために、本件発明は、少なくとも、「前記複数の基板のうち特定の基板の前面の内周側に設けられ前記点灯装置から出力線を介して直流出力を発光素子に供給する電源供給接続部」と「特定の基板から隣接する他の基板に直流出力が供給されるように互いに隣接する基板間を電気的に接続する配線接続部」とを設けて構成されるものであるところ、そのような「電源供給接続部」と「配線接続部」とを用いた配線接続構造は、本件特許明細書に「基板２１は、所定の幅寸法を有した円弧状の４枚の基板２１が繋ぎ合わされるように配設されて全体として略サークル状に形成されている。・・・そして、
これら基板２１相互は、分割部ＤにおいてコネクタＣｎによって電気的に接続されている
特定の基板２１ａの内周側には、電源供給接続部２３が設けられている。この電源供給接続部２３は、具体的には、コネクタであり、後述する点灯装置４から導出される出力線Ｗが、
電源供給接続部２３に接続され、
電力が供給されるようになっている。
　したがって、本件特許明細書の発明の詳細な説明の記載は、当業者が本件発明の実施をすることができる程度に明確かつ十分に記載したものではないとはいえないから、特許法第３６条第４項第１号に規定する要件を満たしていないとはいえない。
　　
３　申立理由３
　上記２で述べたとおり、本件特許明細書には、「配線接続関係を簡素化できる照明器具を提供すること」との技術課題を、「電源供給接続部」と「配線接続部」とを用いた配線接続構造にて解決することが記載されている。
　したがって、本件特許発明は、本件特許明細書の発明の詳細な説明に記載されていない発明であるとはいえないから、特許法第３６条第６項第１号に規定する要件を満たしていないとはいえない。
  　
４　申立理由４
　上記２で述べたとおり、本件特許明細書には、「配線接続関係を簡素化できる照明器具を提供すること」との技術課題を、「電源供給接続部」と「配線接続部」とを用いた配線接続構造にて解決することが記載されており、かかる配線接続構造は、請求項１に「前記複数の基板のうち特定の基板の前面の内周側に設けられ前記点灯装置から出力線を介して直流出力を発光素子に供給する電源供給接続部」及び「特定の基板から隣接する他の基板に直流出力が供給されるように互いに隣接する基板間を電気的に接続する配線接続部」として明確に記載されている。
　そして、上記「配線接続部」が、その実施の態様として、本件特許明細書の段落【００１５】に記載される「コネクタＣｎ」として構成されることも技術的に明らかである。
　したがって、本件特許の請求項１の記載は、特許を受けようとする発明が明確ではないとはいえないから、特許法第３６条第６項第２号に適合するものではないとはいえない。
　
第６　むすび
　以上のとおり、特許異議申立ての理由及び証拠によっては、請求項１に係る特許を取り消すことはできない。  
　また、他に請求項１に係る特許を取り消すべき理由を発見しない。 
　よって、結論のとおり決定する。 
【異議決定日】
平成２８年１２月１日（２０１６．１２．１）